(57)【要約】【課題】  分電盤に組み込まれる電子式電力量計等の表示装置において、本体の取付け方向に対応して、簡単な操作により、表示部を見易い方向に回動保持する機構を得る。【解決手段】  表示部５の背面に設けられ、本体カバー部３の内部に貫通するように形成された装着用突出部２３と、一対の弾性押圧片８ｂを有し、本体カバー部３の内面おいて装着用突出部２３に嵌装された圧接子８と、この圧接子８を押圧し、かつ、表示部５が回動できるように装着用突出部２３に固着された回動リング１０と、表示部５の背面と本体カバー部３の表示部装着面７の間にあって、互いに嵌り合って表示部５を所定の回動位置の状態に保持する保持ストッパ１１，１９とを備えることにより表示部５を簡単に回動できるようにした。【選択図】図２
2008267901.tif 000002
【特許請求の範囲】
【請求項１】
外側面に電源回路及び負荷回路を接続するための端子装置を有する本体ベース部と、前面に表示部装着面が形成された本体カバー部と、上記本体ベース部と本体カバー部で構成された本体部における上記表示部装着面に装着され、計測値あるいは時刻などを表示すると共に、上記本体部の取付け方向に対応して所定の回動位置に回動可能になされた表示部とを備えた表示装置において、上記本体カバーの表示部装着面の略中央部を貫通する貫通孔と、上記表示部の背面に設けられ上記貫通孔を貫通するように形成された装着用突出部と、少なくとも一対の弾性押圧片を有し、上記表示部装着面の背面側において上記装着用突出部に嵌装された圧接子と、上記表示部が回動できるように上記装着用突出部に固着された回動リングと、上記表示部の背面と表示部装着面の間にあって、互いに嵌り合うと共に、上記弾性押圧片の弾性力により表示部を表示装着面に押圧されて上記表示部を所定の回動位置の状態に保持する保持ストッパとを備えてなる表示装置。
【請求項２】
表示部の外箱が略正方形に形成され、本体カバー部には上記表示部の外箱に隣接する隣接壁面を有する前面部を有し、上記本体カバーの表示部装着面の背面に上記隣接壁面に対して直角方向に延伸するレールを形成すると共に、圧接子に上記レールに係合する係合スライド部を設け、上記表示部を回動したとき、保持ストッパの嵌り合いが解離すると共に上記外箱のコーナー部が上記隣接壁面に摺接して上記表示部が上記レールに沿って摺動し、所定の回動位置の状態になされたとき上記レールを介して上記表示部を上記隣接壁面に隣接した状態に戻し、この戻した状態において上記保持ストッパが嵌り合うようにしたことを特徴とする請求項１記載の表示装置。
【請求項３】
保持ストッパは互いに摺動できるように形成された傾斜面を介して嵌り合うように構成したことを特徴とする請求項１または２記載の表示装置。
【発明の詳細な説明】
【技術分野】
【０００１】
この発明は、分電盤などの盤に組み込まれ、例えば電力量などの計測値あるいは時刻などを表示する表示装置に関するものである。
【背景技術】
【０００２】
従来の盤用の表示装置は、盤の電源回路及び負荷回路に対応して表示装置本体の取付け方向が定められる。従って、その表示装置において、計測値あるいは時刻などを表示する表示部は表示装置本体の取付け方向に対応して見易い方向に回動できる構成にすることが知られている。ただし、この種の表示部の外函は通常略正方形に形成され、その表示部に隣接して、例えば計測用のパルス数などを設定するための設定部が形成される構成のものがある。このような構成の表示装置においては、表示部に対して設定部が隣接しているので略正方形の表示部は回動できない。従って、この表示部を回動させる場合には、表示部ストッパーの嵌合を解除し、表示部を正面から見て横方向にスライドさせ、表示部を設定部から離隔させた状態で表示部回動機構により回動するようになされていた。（例えば、特許文献１参照。）。
【０００３】
【特許文献１】特開２００３−３１５３６３号公報
【発明の開示】
【発明が解決しようとする課題】
【０００４】
以上のように構成された従来の表示装置は、表示部に表示された計測値や時刻などを所望の表示方向に変更するときに、表示部を保持しているストッパ解除用凹部と表示部固定用突起との嵌合を解除させ、表示部を正面から見て横方向にスライドさせた後、表示部を回動させているので、嵌合の解除、スライド、回動というステップで表示方向の変更が行われるため操作が複雑という課題があった。
【０００５】
この発明は、このような課題を解決するためになされたものであり、表示部を所望の方向に変更するときに、簡単な操作により、表示装置本体の取付け方向に対応して見易い方向に回動保持する機構を得ることを目的としている。
【課題を解決するための手段】
【０００６】
本発明は上記目的を達成するために、外側面に電源回路及び負荷回路を接続するための端子装置を有する本体ベース部と、前面に表示部装着面が形成された本体カバー部と、上記本体ベース部と本体カバー部で構成された本体部における上記表示部装着面に装着され、計測値あるいは時刻などを表示すると共に、上記本体部の取付け方向に対応して所定の回動位置に回動可能になされた表示部とを備えた表示装置において、上記本体カバーの表示部装着面の略中央部を貫通する貫通孔と、上記表示部の背面に設けられ上記貫通孔を貫通するように形成された装着用突出部と、少なくとも一対の弾性押圧片を有し、上記表示部装着面の背面側において上記装着用突出部に嵌装された圧接子と、上記表示部が回動できるように上記装着用突出部に固着された回動リングと、上記表示部の背面と表示部装着面の間にあって、互いに嵌り合うと共に、上記弾性押圧片の弾性力により表示部を表示装着面に押圧されて上記表示部を所定の回動位置の状態に保持する保持ストッパとを備えて構成されたものである。
【０００７】
また、表示部の外箱が略正方形に形成され、本体カバー部には上記表示部の外箱に隣接する隣接壁面を有する前面部（設定部）を有するものにおいては、上記本体カバーの表示部装着面の背面に上記隣接壁面に対して直角方向に延伸するレールを形成すると共に、圧接子に上記レールに係合する係合スライド部を設け、上記表示部を回動したとき、保持ストッパの嵌り合いが解離すると共に上記外箱のコーナー部が上記隣接壁面に摺接して上記表示部が上記レールに沿って摺動し、所定の回動位置の状態になされたとき上記レールを介して上記表示部を上記隣接壁面に隣接した状態に戻し、この戻した状態において上記保持ストッパが嵌り合うようにしたものである。
【発明の効果】
【０００８】
上述したように本発明の表示装置は、表示部の背面と表示部装着面の間にあって、互いに嵌り合って表示部を所定の回動位置の状態に保持する保持ストッパを設けた。従って、従来の装置のような、表示部を保持しているストッパを解除した後に表示部を回動するような操作が省略されるので、簡単な操作により表示部を所望の位置に回動し保持させることができる。
【０００９】
また、表示部に隣接して設定部（前面部）が設けられたものであっても、表示部を回動するとき、表示部が自動的に設定部（前面部）から離れるように摺動するので、上記と同様に簡単な操作により表示部を所望の位置に回動し保持させることができる。
【発明を実施するための最良の形態】
【００１０】
実施の形態１．
図１は本発明の実施の形態１における表示装置を示す外観斜視図であり、表示装置１は、電源を供給する電源回路及び負荷回路（図示しない）に接続される端子装置（図示しない）が設けられる本体ベース部２と、この本体ベース部２に嵌合される本体カバー部３と、この本体ベース部２と本体カバー部３との内部に収納される後述の圧接子８と回動リング１０等で構成される本体部４と、本体カバー部３に装着され略正方形に形成されると共に所定の角度の回動位置に回動可能にされて計測値または時刻などを表示する表示部５と、本体カバー部３の前面にあって表示部５に隣接し、例えば電力量の出力パルスの形態や合成変成比などの表示装置の固有データを設定するための設定部６とで構成されている。なお、本体ベース部２と本体カバー部３と表示部５の箱状部分は熱可塑性樹脂材により形成されている。表示部５はＬＣＤ（液晶表示素子）を用いて電力量などの計測値を表示させる。また、表示部５と設定部６は外形寸法を小さくするために近接して設けられている。
【００１１】
図２は、図１の分解斜視図、図３は、図１の表示装置を構成する表示部５と圧接子８と回動リング１０の拡大斜視図、図４は、本体カバー部３の内面を示す斜視図、図５ないし図９は、表示装置５の回動手順を示した概略図である。次にこれらの図を用いて、この表示装置１の詳細について説明する。
【００１２】
図１における本体部４は、本体ベース部２と本体カバー部３とが、カバーねじ１３により結合されたものである。即ち、カバーねじ１３が、本体カバー部３に配設された貫通孔１２に嵌挿され、本体ベース部２に配設された雌ねじ（図示しない）に螺合して結合される。この結合により本体部４が構成れている。
【００１３】
本体カバー部３の前面には、後述のように表示部５を摺動可能に装着するための表示部装着面７が形成されている。この表示部装着面７には、略中央部を貫通する楕円形状の貫通孔９が設けてある。この貫通孔９の周縁部には、本体内部への塵埃の進入や外部から内部回路に操作を加えられることを防止するための防塵壁１４が形成されている。また、表示部装着面７に隣接して隣接壁面６aを有する構造部６が形成されている。構造部６は本体カバー部３の内部の部品の関係で形成されるが、この実施の形態では、表示部５に用いる電力量の出力パルスの形態や合成変成比などの表示装置の固有データを設定するための設定部６として説明する。なお、表示部装着面７の背面には、図４に示すように一対のレール２４が形成されている。このレール２４は、設定部６（前面部６）の隣接壁面６aに対して直角方向に延伸されている。
【００１４】
次に、表示部装着面７に装着される表示部５について、その装着のための機構を図２及び図３を用いて説明する。図２及び図３において、表示部５の背面には装着用突出部２３が形成されている。この表示部５を本体カバー部３の表示部装着面７に置いたとき、装着用突出部２３は本体カバー部３に設けられた貫通孔９を貫通して表示部装着面７の背面側（本体カバー部３の内部）に突出する。この突出した装着用突出部２３に弾性押圧片８ｂを有する圧接子８を嵌装し、装着用突出部２３の先端に回動リング１０を固着することにより圧接子８を圧接して表示部５が装着される。なお、圧接子８の弾性押圧片８ｂはゆるやかな波形に湾曲したもので、左右対称に一対設けた実施例を示したが、複数対設けてもよい。また、圧接子８は弾性を有する合成樹脂材料で形成したものを示しているが、金属板で形成することも可能である。
【００１５】
次に、表示部５と圧接子８と回動リング１０の連結構造について詳細に説明する。
即ち、表示部５の背面側に形成された装着用突出部２３の先端部には、回動リング１０を固着するための固着用フック１７が４箇所に設けてある。圧接子８には、本体カバー部３の内面に形成された一対のレール２４と係合する係合スライド部８aが設けてある。中央の嵌め込み孔１５には回動リング固定溝８ｃが４箇所に設けてある。回動リング１０には、弾性を有するように形成された回動リング固定突起１０ａが２箇所に設けられている。また、表示部固定面１６が４箇所に設けてある。なお、表示部５の背面には円形の摺動用凹部１８が設けてある。この摺動用凹部１８は、貫通孔９の周縁部に形成された防塵壁１４の高さ寸法と同じ寸法の深さで、防塵壁１４が入ると共に摺動できる大きさの円形に形成されている。
【００１６】
上記のように形成された表示部５と圧接子８と回動リング１０において、圧接子８は装着用突出部２３に嵌装された状態で、係合スライド部８aが表示部装着面７の背面の一対のレール２４と係合し、レール２４に沿って摺動できるようになされている。回動リング１０の固着は、４箇所の表示部固定面１６に装着用突出部２３の先端部に設けられた固着用フック１７が係止されることによりなされる。回動リング１０の固着により、圧接子８が押圧され弾性押圧片８ｂが若干撓んだ状態に圧接子８が圧接される。この圧接により表示部５が表示部装着面７に装着される。なお、回動リング固定突起１０ａが圧接子８の回動リング固定溝８ｃに係合して表示部５が自由に回動しないように保持している。ただし、この保持が無くてもこの発明の構成は可能である。
【００１７】
表示部５が自由に回動しないように保持する手段として、この発明では表示部５の背面と、本体カバー部３の表示部装着面７の間にあって、互いに嵌り合って表示部５を所定の回動位置の状態に保持する保持ストッパとを設けてある。即ち、図２に示すように、本体カバー部３の表示部装着面７にカバー凸部１１を設け、図３に示すように、表示部５の背面にカバー凸部１１が嵌る大きさの、第１の凹部１９、第２の凹部２０、第３の凹部２１、第４の凹部２２を設けておく。このようにカバー凸部１１及び凹部１９ないし２２を設ける場合、凹部１９ないし２２の位置は、表示部５を所定の回動位置（この実施の形態では角度にして９０度回動した位置）に回動する毎にカバー凸部１１が凹部１９ないし２２に順次嵌り合うように設定してある。このように、カバー凸部１１と表示部５の背面の凹部１９ないし２２のいずれかが嵌り合うことにより表示部５の回動位置の状態が保持される。
【００１８】
上記の表示部５の回動は、表示部５に隣接する設定部６のような構造部が無い場合、あるいは表示部５の箱状部分が円形の場合には回動が簡単である。即ち、後述のように、表示部５を横方向に移動させながら回動させる構成は不要である。従って、レール２４や圧接子８の係合スライド部８aなどは不要になる。表示部５に隣接して設定部６のような構造部があるときの回動は、図５ないし図９に示すように表示部５を横方向に移動させながら回動させる。
【００１９】
図５（a）において、本体部４は、上側に電源回路に接続する端子装置があり、下側に負荷回路に接続する端子装置があるものとする。中央部の左側に外箱が略正方形に形成された表示部５がある。この表示部５に隣接して設定部６がある。この状態で図５（ｂ）のように、本体カバー部３の表示部装着面７にあるカバー凸部１１は表示部５の背面の第１の凹部１９に嵌って保持されている。この嵌って保持されている状態を図５（b）及び図５（c）に示す。
【００２０】
次に図５の状態から、図６に示すように、表示部５を矢印Ａ方向に回動したときの各部の細部について説明する。この矢印Ａ方向の回動により、第１の凹部１９の第１の角部２５（図６に示す）がカバー凸部１１の第１の傾斜面２６を登り始める。このとき、表示部５は圧接子８の弾性押圧片８ｂの弾性力に抗して矢印Ｂの方向に浮き上がった状態になる。表示部５は浮き上がった状態になるが、弾性押圧片８ｂの弾性力により表示部装着面７に押圧されているので、表示部５が本体カバー部３から外れることはない。従って、第1の凹部１９がカバー凸部１１から離脱して、表示部５の第1の凹部１９とカバー凸部１１との嵌り合いが解除され図７の状態になる。
【００２１】
上記のように表示部５を矢印Ａ方向に回動させたとき、図６から図７に示すように表示部５のコーナー部２７が、隣接する設定部６の隣接壁面６ａを摺動する。この摺動により、表示部５は設定部６から離れる方向、即ち図７において左方向に移動することになる。このとき、表示部装着面７の背面には、図４に示すように一対のレール２４が形成されおり、このレール２４に対して圧接子８の係合スライド部８aが係合するように構成されているので表示部５の移動は滑らかに行われる。また、カバー凸部１１に第１の傾斜面２６（図６ｃ）を設けたので、この点においても回動動作は滑らかに行われる。
【００２２】
次に、表示部５を更に図７（ａ）に示すように矢印Ｃ方向に回動させると、第１の凹部１９はカバー凸部１１から離脱して、カバー凸部１１には第２の凹部２０が接近してくる。カバー凸部１１に第２の凹部２０が接近したとき、表示部５は図８のように設定部６から離れた位置にあるのでカバー凸部１１と第２の凹部２０は嵌り合わない。嵌り合わすためには、表示部５を図８（ａ）の矢印Ｄ方向に摺動して、図９に示すように設定部６に隣接した位置に移動する。この移動した位置においてカバー凸部１１は図９（ｃ）に示すように第２の凹部２０と嵌り合う。その際、第２の角部２９（図８に示す）が第２の傾斜面３０を登り、前述と同様に圧接子８の弾性押圧片８ｂの弾性力に抗して矢印Ｂ方向に浮き上がった状態になるが、表示部５は本体カバー部３から外れることなく、カバー凸部１１を乗り越えて、第２の凹部２０とカバー凸部１１が嵌合し、表示部５を所定の位置から９０度回動した所望の位置に保持される。なお、回動する範囲はカバー凸部１１が常に表示部５の摺動用凹部１８の内側に位置し、カバー凸部１１と摺動用凹部１８が表示部５の移動を制限するため、表示部５は特に固定しなくても、表示部５を正面から見て横方向に外れることはない。
【００２３】
この発明の構成によれば、前述と同様な表示部回動の手順を行うことで、更に、表示部５を所定の位置から９０度回動した位置である第３の凹部２１、第４の凹部２２への回動した位置に保持させることも可能である。従って、盤の電源回路及び負荷回路に対応して表示装置本体の取付け方向が異なる状態になったとしても、計測値あるいは時刻などを表示する表示部５は表示装置本体の取付け方向に対応して見易い方向に回動して使用することができる。
【００２４】
なお、上記の実施例では所定の角度を９０度として説明したが、この角度に限定されるものではない。また、上記実施例では、正面から見て反時計方向に回動させたが、時計方向に回動させても良い。
【００２５】
実施の形態２．
図１０は、本発明の実施の形態２の本体カバー部３１の斜視図である。
図１１は、本発明の実施の形態２の表示部３２の斜視図である。
図１０及び図１１において、カバー凸部１１を２ヶ所に配設すると共に、第１の凹部１９と第２の凹部２０と第３の凹部２１と第４の凹部２２を２箇所ずつ配設したものである。
【００２６】
以上の様に構成した表示装置は複数のカバー凸部１１が複数の表示部の凹部１９ないし２２に対して同時に２箇所嵌合するので確実に所定の位置に保持される。
【００２７】
なお、上記実施の形態１及び実施の形態２では、本体カバー部３に配設されたカバー凸部１１に表示部５に配設された第1の凹部１９または第２の凹部２０を嵌合させるようにしたが、カバー凸部１１を凹部に変更すると共に凹部１９等を凸部に変更しても同様の効果を奏することは言うまでもない。
【図面の簡単な説明】
【００２８】
【図１】本発明の実施の形態１における表示装置の外観斜視図である。
【図２】図１の表示装置の分解斜視図である。
【図３】図１の表示装置の表示部、圧接子、回動リングの拡大斜視図である。
【図４】図１の表示装置の本体カバー部の内面を示す外観斜視図である。
【図５】本発明の実施の形態１の表示装置の表示部回動手順の説明図である。
【図６】本発明の実施の形態１の表示装置の表示部回動手順の説明図である。
【図７】本発明の実施の形態１の表示装置の表示部回動手順の説明図である。
【図８】本発明の実施の形態１の表示装置の表示部回動手順の説明図である。
【図９】本発明の実施の形態１の表示装置の表示部回動手順の説明図である。
【図１０】本発明の実施の形態２の本体カバー部の斜視図である。
【図１１】本発明の実施の形態２の表示部の斜視図である。
【符号の説明】
【００２９】
１  表示装置
２  本体ベース部
３  本体カバー部
４  本体部
５  表示部
６  設定部（前面部）
６ａ  隣接壁面
７  表示部装着面
８  圧接子
８ａ  スライド部
８ｂ  弾性押圧片
８ｃ  回動リング固定溝
９  貫通孔
１０  回動リング
１１  カバー凸部
１２  孔
１３  カバーねじ
１４  防塵壁
１５  嵌め込み孔
１６  表示部固定面
１７  固着用フック
１８  摺動用凹部
１９  第１の凹部
２０  第２の凹部
２１  第３の凹部
２２  第４の凹部
２３  装着用突出部
２４  レール
２５  第１の角部
２６  第１の傾斜面
２７  コーナー部
２９  第２の角部
３０  第２の傾斜面
３１  本体カバー部
３２  表示部
【図１】
2008267901.tif 000003
【図２】
2008267901.tif 000004
【図３】
2008267901.tif 000005
【図４】
2008267901.tif 000006
【図５】
2008267901.tif 000007
【図６】
2008267901.tif 000008
【図７】
2008267901.tif 000009
【図８】
2008267901.tif 000010
【図９】
2008267901.tif 000011
【図１０】
2008267901.tif 000012
【図１１】
2008267901.tif 000013